(57)【要約】【課題】  画像獲得装置のワイド色領域信号の生成方法及び装置を提供する。【解決手段】  画像獲得装置において、出力フォーマットによって決定されたガンマ曲線情報を利用して撮像された画像信号をガンマ補正するガンマ補正部と、ガンマ補正された画像信号をディスプレイに表現するリニア画像信号に補間する補間部と、補間された画像信号をカラー変換マトリックスを通じて標準ＲＧＢ信号に変換する色領域変換部と、標準ＲＧＢ信号を領域変換マトリックスを通じてワイド色領域信号に拡張する色領域拡張部と、ワイド色領域信号を所定の補正ゲイン値で補正する信号補正部と、を備えるワイド色領域信号生成装置である。【選択図】      図２
2008263608.tif 000002
【特許請求の範囲】
【請求項１】
画像獲得装置において、
出力フォーマットによって決定されたガンマ曲線情報を利用して撮像された画像信号をガンマ補正するガンマ補正部と、
前記ガンマ補正された画像信号をディスプレイに表現するリニア画像信号に補間する補間部と、
前記補間された画像信号をカラー変換マトリックスを通じて標準ＲＧＢ信号に変換する色領域変換部と、
前記標準ＲＧＢ信号を領域変換マトリックスを通じてワイド色領域信号に拡張する色領域拡張部と、
前記ワイド色領域信号を所定の補正ゲイン値で補正する信号補正部と、を備えるワイド色領域信号生成装置。
【請求項２】
前記拡張されたワイド色領域信号と既存のワイド色領域信号とを比較して、前記補正ゲイン値を生成する補正ゲイン生成部をさらに備えることを特徴とする請求項１に記載のワイド色領域信号生成装置。
【請求項３】
前記補正ゲイン生成部は、
前記拡張されたワイド色領域信号と既存のワイド色領域信号とを比較して、その差値を抽出する信号比較部と、
前記抽出された差値をマッチングしてワイド色領域信号が既存のワイド色領域信号に近接する補正信号ゲインを生成する信号ゲイン生成部と、を備えることを特徴とする請求項２に記載のワイド色領域信号生成装置。
【請求項４】
前記ガンマ補正部は、前記画像獲得装置の出力フォーマットが変更される度に前記ガンマ曲線情報をアップデートすることを特徴とする請求項１に記載のワイド色領域信号生成装置。
【請求項５】
信号補正部は、前記ワイドカラー領域信号のゲインと所定の補正ゲイン値とを乗算する乗算部であることを特徴とする請求項１に記載のワイド色領域信号生成装置。
【請求項６】
画像獲得装置のワイド色領域信号の生成方法において、
画像獲得装置の出力フォーマットによって事前に決定されたガンマ曲線を利用して撮像されたリニア画像信号に対するガンマ補正を行う過程と、
前記ガンマ補正されたリニアＲＧＢ信号を出力ディスプレイに表現するリニアＲＧＢ信号に補間する過程と、
前記補間されたリニアＲＧＢ信号を所定のカラー変換マトリックスを通じて標準ＲＧＢ信号に変換する過程と、
前記標準ＲＧＢ信号をカラードメインコンバージョンマトリックスを通じてワイド色領域信号に拡張する過程と、
前記ワイド色領域信号のゲインを所定のゲイン設定アルゴリズムによって決まった補正ゲイン値で補正する過程と、を含むワイド色領域信号の生成方法。
【請求項７】
前記補間過程は、
周囲画素のカラー情報を利用して、現在画素にＲ、Ｇ、Ｂのチャンネル情報を有するカラー画像信号に補間する過程であることを特徴とする請求項６に記載のワイド色領域信号の生成方法。
【請求項８】
前記所定のゲイン設定アルゴリズムは、
前記拡張されたワイド色領域信号と既存のワイド色領域信号とをカラー座標を通じて比較して、その差値を抽出し、
その抽出された差値をマッチングして補正ゲイン値を生成する過程を含むことを特徴とする請求項６に記載のワイド色領域信号の生成方法。
【請求項９】
前記補正ゲイン値は、
前記拡張されたワイド色領域信号のゲインが既存のワイド色領域信号のゲインに近接するゲイン値であることを特徴とする請求項６に記載のワイド色領域信号の生成方法。
【請求項１０】
画像獲得装置のワイド色領域信号の生成方法を行うプログラムが記録されたコンピュータで読み取り可能な記録媒体において、
画像獲得装置の出力フォーマットによって事前に決定されたガンマ曲線を利用して撮像されたリニア画像信号に対するガンマ補正を行う過程と、
前記ガンマ補正されたリニアＲＧＢ信号を出力ディスプレイに表現するリニアＲＧＢ信号に補間する過程と、
前記補間されたリニアＲＧＢ信号を所定のカラー変換マトリックスを通じて標準ＲＧＢ信号に変換する過程と、
前記標準ＲＧＢ信号をカラードメインコンバージョンマトリックスを通じてワイド色領域信号に拡張する過程と、
前記ワイド色領域信号のゲインを所定のゲイン設定アルゴリズムによって決まった補正ゲイン値で補正する過程と、を記録したコードを含む記録媒体。
【発明の詳細な説明】
【技術分野】
【０００１】
本発明は、画像獲得装置に係り、特に、画像獲得装置でワイド色領域信号を生成するとき、計算過程を簡素化し、色相歪曲を最小限に減らせるワイド色領域信号の生成方法及び装置に関する。
【背景技術】
【０００２】
通常的に、画像獲得装置は、カムコーダやカメラのような装置である。ＢＴ.６０１やＹＣｂＣｒ成分の色信号は、人間の見られる色領域の約１／３の色再現率を具現する。イメージエンコーディング機器の進歩によって、マルチメディア出力装置は、既存のＹＣｂＣｒ領域より広い領域の色信号をキャップチャー可能になった。
【０００３】
画像獲得装置は、ＣＣＤ（Ｃｈａｒｇｅ−Ｃｏｕｐｌｅｄ  Ｄｅｖｉｃｅ）またはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサーのような撮像素子を通じて画像が入力されれば、線形マトリックス変換によって入力される画像信号をＲＧＢ色信号に変換する。このとき、ｓＲＧＢ／Ｒｅｃ.ＩＴＵ−Ｒ  ＢＴ.７０９などの規格によるカラーガマットを逸脱する信号が生成される。カラーガマットは、画像獲得装置で獲得された画像を再生する時に表現可能なカラーの範囲である。したがって、カラーガマットは、画像再生装置（またはディスプレイ装置）のディスプレイ規格によって決定される。したがって、カラーガマットを逸脱する信号は、再生する時に表現可能なカラー範囲を逸脱する信号を意味する。
【０００４】
既存の画像獲得装置は、撮像された画像情報をキャップチャーし、そのキャップチャーされた画像情報を線形マトリックスを通じて標準ＲＧＢ信号に変換し、その標準ＲＧＢ信号をガンマ補正し、ガンマ補正された標準ＲＧＢ信号をＹＣｂＣｒ信号に変換し、そのＹＣｂＣｒ信号をｘｖＹＣＣマトリックスを通じてｘｖＹＣＣ（ｅｘｔｅｎｄｅｄ  ｖｉｄｅｏ  ＹＣｂＣｒ）というワイド色領域信号に変換する。
【０００５】
図１は、標準ＲＧＢマトリックスを通過した標準ＲＧＢ信号の特性を示す図である。
【０００６】
通常的に、標準ＲＧＢ信号は、負の値を有する信号と“１”を超える信号とを含む。
【０００７】
したがって、標準ＲＧＢマトリックスを通過した標準ＲＧＢ信号は、図１に示したように、負の値を有する信号領域１１０と１の値を超える信号領域１２０とで表される。
【０００８】
しかし、標準ＲＧＢ信号は、負の値を有する信号と１の値を超える信号とを有するため、ビット深度が向上する。したがって、ガンマ補正部は、ガンマ補正用ルック−アップテーブルに負の値を有する信号を保存せねばならないため、さらに多くのメモリ空間を必要とする。また、従来の技術は、負の値を有する信号によって補間処理過程でさらに多くの演算を必要とする問題点がある。
【発明の開示】
【発明が解決しようとする課題】
【０００９】
本発明が解決しようとする技術的課題は、画像撮像装置でワイド色領域信号を生成するとき、ハードウェア資源を減少させ、信号歪曲を減らせるワイド色領域信号の生成方法及び装置を提供することである。
【課題を解決するための手段】
【００１０】
前記課題を解決するために、本発明は、画像獲得装置のワイド色領域信号生成装置において、出力フォーマットによって決定されたガンマ曲線情報を利用して、撮像された画像信号をガンマ補正するガンマ補正部と、前記ガンマ補正された画像信号をディスプレイに表現するリニア画像信号に補間する補間部と、前記補間された画像信号をカラー変換マトリックスを通じて標準ＲＧＢ信号に変換する色領域変換部と、前記標準ＲＧＢ信号を領域変換マトリックスを通じてワイド色領域信号に拡張する色領域拡張部と、前記ワイド色領域信号を所定の補正ゲイン値で補正する信号補正部と、を備えることを特徴とする。
【００１１】
前記他の課題を解決するために、本発明は、画像獲得装置のワイド色領域信号の生成方法において、画像獲得装置の出力フォーマットによって事前に決定されたガンマ曲線を利用して撮像されたリニア画像信号に対するガンマ補正を行う過程と、前記ガンマ補正されたリニアＲＧＢ信号を出力ディスプレイに表現するリニアＲＧＢ信号に補間する過程と、前記補間されたリニアＲＧＢ信号を所定のカラー変換マトリックスを通じて標準ＲＧＢ信号に変換する過程と、前記標準ＲＧＢ信号をカラードメインコンバージョンマトリックスを通じてワイド色領域信号に拡張する過程と、前記ワイド色領域信号のゲインを所定のゲイン設定アルゴリズムによって決まった補正ゲイン値で補正する過程と、を含むことを特徴とする。
【発明の効果】
【００１２】
本発明によれば、ｘｖＹＣＣ信号は、標準ＲＧＢ信号より広いカラースペースを有する。カラーサンプルシリーズであるマンセル表色系でカラー色領域を比較してみれば、ｓＲＧＢ信号の色領域は、マンセル表色系で５５％を支援するが、ｘｖＹＣＣ信号は、１００％を支援する。本発明は、撮像された画像信号をまずガンマ補正アルゴリズムと補間アルゴリズムとを行った後、ｘｖＹＣＣを生成することによって、ガンマ補正用ルック・アップテーブルのデータ量を減らし、補間演算を減らせる。また、本発明でｘｖＹＣＣマトリックスを通過したｘｖＹＣＣ信号と実際ｘｖＹＣＣ信号との誤差を補償することによって、二つの信号間のマッチングエラーを最小化しうる。
【発明を実施するための最良の形態】
【００１３】
以下、添付された図面を参照して本発明の望ましい実施例を説明する。
【００１４】
図２は、本発明による画像獲得装置でワイド色領域信号生成装置のブロック図である。図２のワイド色領域信号生成装置は、撮像部２１０、ガンマ補正部２２０、補間部２３０、色領域変換部２４０、色領域拡張部２５０、信号補正部２６０を備える。また、画像獲得装置は、オプションとして補正ゲイン生成部２７０を備える。
【００１５】
撮像部２１０は、ＣＣＤ（Ｃｈａｒｇｅ−Ｃｏｕｐｌｅｄ  Ｄｅｖｉｃｅ）またはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサーのような撮像素子を利用して入射された画像を、リニア特性を有するＲＧＢ信号に変換する。
【００１６】
ガンマ補正部２２０は、撮像部２１０から出力されるリニア特性を有するＲＧＢ信号を受信する。ＲＧＢ信号が受信されれば、ガンマ補正部２２０は、画像獲得装置の出力フォーマットによって事前に決定されたガンマ曲線を利用して、リニアＲＧＢ信号に対してガンマ補正を行う。
【００１７】
すなわち、画像獲得装置の出力フォーマットが、例えば、Ｒｅｃ.ＩＴＵ−Ｒ  ＢＴ.１３６１であれば、ガンマ補正部２２０は、図３Ａに示したようなガンマ曲線に基づいて入力されるＲＧＢ信号に対するガンマ補正を行う。図３Ａは、Ｒｅｃ.ＩＴＵ−Ｒ  ＢＴ.１３６１規格によるガンマ曲線である。図３Ａで、入力信号は、リニアＲＧＢ信号であり、出力信号は、ガンマ補正されたリニアＲＧＢ信号である。図３Ａに示されたガンマ曲線は、式（１）のように定義される。
【００１８】
【数１】
2008263608.tif 000003
式（１）で、Ｌは、ガンマ補正部２２０に入力されるリニアＲＧＢ信号であり、Ｅ’は、ガンマ補正部２２０から出力されるガンマ補正されたリニアＲＧＢ信号である。
【００１９】
画像獲得装置の出力フォーマットが、例えば、ｘｖＹＣＣであれば、ガンマ補正部２２０は、図３Ｂに示したようなガンマ曲線に基づいて入力されるリニアＲＧＢ信号に対するガンマ補正を行う。図３Ｂは、ｘｖＹＣＣ規格によるガンマ曲線である。図３Ｂで、入力信号は、リニアＲＧＢ信号であり、出力信号は、ガンマ補正されたＲＧＢ信号である。図３Ｂに示されたガンマ曲線は、式（２）のように定義される。
【００２０】
【数２】
2008263608.tif 000004
式（２）で、Ｌは、ガンマ補正部２２０に入力されるリニアＲＧＢ信号であり、Ｅ’は、ガンマ補正部２２０から出力されるガンマ補正されたリニアＲＧＢ信号である。
【００２１】
前記画像獲得装置の出力フォーマットは、前記ｘｖＹＣＣ、Ｒｅｃ.ＩＴＵ−Ｒ  ＢＴ.１３６１以外の他の出力フォーマットが設定される。前記出力フォーマットは、画像獲得装置で獲得された画像を再生する装置のディスプレイフォーマットによって設定される。
【００２２】
このとき、撮像された画像信号は、標準ＲＧＢ信号とは異なり、負のゲイン値及び１を超えるゲイン値を有さない。したがって、ガンマ補正部２２０は、従来に負のゲイン値を有する標準ＲＧＢ信号の代りに撮像された画像信号を利用することによって、負のゲイン値及び１を超えるゲイン値に対するガンマ補正データを必要としないので、ルック・アップテーブルのデータ量を減らし、補間演算を減らせる。
【００２３】
補間部２３０は、ガンマ補正部２２０でガンマ補正されたリニアＲＧＢ信号を双線形補間法のような補間技法を利用して、出力ディスプレイに表現するリニアＲＧＢ信号で補間する。すなわち、撮像素子の信号フォーマットとディスプレイフォーマットとを一致させるために、補間部２３０は、ベイヤパターンの信号または３ＣＣＤパターンのＲＧＢ信号をディスプレイフォーマットのＲＧＢ信号で補間する。例えば、撮像部２１０は、カラー画像信号を得るために、通常的に、ＣＦＡ（Ｃｏｌｏｒ  Ｆｉｌｔｅｒ  Ａｒｒａｙ）を備える。ＣＦＡは、ＣＣＤの前端にマイクロレンズの形態で付着されており、一画素ごとに一種のカラーを表す光のみ通過させ、規則的に配列された構造を有している。このＣＦＡは、カラー要素が配列された構造によって色々な形態を有しているが、通常的に、２−Ｇベイヤパターンを有する。２−ＧベイヤパターンのＣＦＡでは、輝度を表すＧが５０％、色成分のＲとＢがそれぞれ２５％の割合で分布されている。したがって、ＣＦＡを採用したＣＣＤの出力画像は、各画素ごとに１種のカラー情報のみを有しているので、一画素にＲＧＢの３個チャンネルの全ての情報を有する画像信号を得るためには、周囲画素のカラー情報を利用して補間せねばならない。
【００２４】
また、補間部２３０は、従来に負の値を有する標準ＲＧＢ信号の代りに撮像された画像信号に対して補間するため、補間演算を減らせる。
【００２５】
色領域変換部２４０は、補間されたリニアＲＧＢ信号を変換マトリックス（例えば、３×３マトリックスアルゴリズム）を通じて標準ＲＧＢ信号に変換する。このとき、色領域変換部２４０から出力される標準ＲＧＢ信号は、負のゲイン値と“１”を超えるゲインとを含む。補間されたリニアＲＧＢ信号をＣＩＥ−ＲＧＢカラーマッチングファンクションに適用するために、変換マトリックスは、例えば、最小平均自乗フィルタリング（Ｌｅａｓｔ  Ｍｅａｎ  Ｓｑｕａｒｅ  Ｆｉｌｔｅｒｉｎｇ：ＬＭＳＦ）方法を使用して求めうる。ＬＭＳＦは、統計的に最も小さい誤差を有する。
【００２６】
色領域拡張部２５０は、ｘｖＹＣＣマトリックスまたはカラードメインコンバージョンマトリックスを利用して、標準ＲＧＢ信号をｘｖＹＣＣ’（ｅｘｔｅｎｄｅｄ  ｖｉｄｅｏ  ＹＣｂＣｒ）というワイド色領域信号に拡張する。カラードメインコンバージョンマトリックスは、画像獲得装置の出力フォーマットによって事前に決定される。例えば、出力フォーマットがｘｖＹＣＣであれば、前記カラードメインコンバージョンマトリックスは、所定のマトリックスアルゴリズムを通じて標準ＲＧＢ信号のカラードメインを、ｘｖＹＣＣカラードメインを有する輝度及び色差信号に変換するように構成される。
【００２７】
信号補正部２６０は、色領域拡張部２５０から出力されるワイド色領域信号ｘｖＹＣＣ’を標準ｘｖＹＣＣ信号と類似するように、実験値であらかじめ設定された補正ゲイン値で補正する。したがって、信号補正部２６０は、色領域拡張部２５０から出力されるワイド色領域信号ｘｖＹＣＣ’を補正されたワイド色領域信号ｘｖＹＣＣに変換する。
【００２８】
補正ゲイン生成部２７０は、色領域拡張部２５０で拡張されたワイド色領域信号ｘｖＹＣＣ’と既存のワイド色領域信号ｘｖＹＣＣＲとを比較して、最適の補正ゲイン値を生成する。補正ゲイン生成部２７０は、製品製造社によってあらかじめ生成されたゲイン値を信号補正部２６０に提供する。
【００２９】
図４は、図３の補正ゲイン生成部２７０及び信号補正部２６０の一実施例である。図４の補正ゲイン生成部２７０は、信号比較部４１０、信号ゲイン生成部４２０で構成され、信号補正部２６０は、乗算部２６２で構成される。
【００３０】
信号比較部４１０は、拡張されたワイド色領域信号ｘｖＹＣＣ’と既存のワイド色領域信号ｘｖＹＣＣＲとを輝度（Ｙ）及び色（ｃ）座標で比較して、そのピクセルの差値を抽出する。このとき、既存のワイド色領域信号ｘｖＹＣＣＲは、既存の画像獲得装置で生成された信号である。
【００３１】
信号ゲイン生成部４２０は、信号比較部４１０から抽出されたピクセル差値を輝度（Ｙ）及び色（ｃ）座標でマッチングして、ワイド色領域信号ｘｖＹＣＣ’が既存のワイド色領域信号ｘｖＹＣＣＲに近接する輝度及び色信号（Ｙ,Ｃ）ゲイン値を求める。このとき、信号ゲイン値は、図５Ａないし図５Ｃで示されたゲイン特性度を参照して得られる。
【００３２】
図５Ａのグラフを見れば、二つの臨界値ｔｈ１,ｔｈ２を設定して入力輝度信号Ｙｉｎに対する出力輝度ゲイン値Ｙ＿ｇａｉｎ１が得られる。
【００３３】
図５Ｂのグラフを見れば、３個の臨界値ｔｈ１,ｔｈ２,ｔｈ３を設定して入力色信号Ｃに対する出力輝度ゲイン値Ｙ＿ｇａｉｎ２が得られる。
【００３４】
図５Ｃのグラフを見れば、４個の臨界値ｔｈ１,ｔｈ２,ｔｈ３を設定して入力色信号Ｃに対する出力色ゲイン値Ｃ＿ｇａｉｎが得られる。
【００３５】
再び、図４を参照するに、乗算部２６２は、色領域拡張部２５０から出力されるワイド色領域信号ｘｖＹＣＣ’に信号ゲイン生成部４２０で生成された信号ゲイン値を乗算して補正されたワイド色領域信号ｘｖＹＣＣを生成する。
【００３６】
このとき、乗算部２６２でワイド色領域を形成するための出力輝度及び色信号Ｙ＿ｏｕｔ,Ｃ＿ｏｕｔは、図５Ａないし図５Ｃのゲイン特性を利用して式（３）のように表せる。
【００３７】
【数３】
2008263608.tif 000005
図６は、本発明による画像獲得装置のワイド色領域信号の生成方法を示すフローチャートである。
【００３８】
まず、画像獲得装置の出力フォーマットによって事前に決定されたガンマ曲線を利用して、撮像装置から出力されるリニアＲＧＢ信号に対するガンマ補正を行う（６１０過程）。
【００３９】
次いで、ガンマ補正されたベイヤパターンのリニアＲＧＢ信号を線形補間法を利用して、出力ディスプレイに表現するリニアＲＧＢ信号に補間する（６２０過程）。
【００４０】
次いで、補間されたリニアＲＧＢ信号をカラードメインコンバージョンマトリックスを通じて標準ＲＧＢ信号に変換する（６３０過程）。
【００４１】
次いで、ｘｖＹＣＣマトリックスまたはカラードメインコンバージョンマトリックスを利用して、標準ＲＧＢ信号をワイド色領域信号ｘｖＹＣＣに拡張する（６４０過程）。
【００４２】
次いで、ゲイン設定アルゴリズムによって決まった補正ゲイン値でワイド色領域信号ｘｖＹＣＣを補正する（６５０過程）。すなわち、このとき、ゲイン設定アルゴリズムは、拡張されたワイド色領域信号と既存のワイド色領域信号とをカラー座標を通じて比較してその差値を抽出し、その抽出された差値をマッチングして、ワイド色領域信号が既存のワイド色領域信号に近接する補正信号ゲインを生成する。したがって、ｘｖＹＣＣマトリックスをｘｖＹＣＣマトリックスを通過したｘｖＹＣＣ信号と既存のｘｖＹＣＣ信号との差を分析して、二つの信号間の誤差を補償しうる。
【００４３】
本発明は、前述した実施例に限定されず、本発明の思想内で当業者による変形が可能である。
【００４４】
また、本発明は、コンピュータで読み取り可能な記録媒体にコンピュータ可読情報として具現することが可能である。コンピュータで読み取り可能な記録媒体は、コンピュータシステムによって読み取られるデータが保存される全ての種類の記録装置を含む。コンピュータで読み取り可能な記録媒体の例としては、ＲＯＭ（リード  オンリ  メモリ）、ＲＡＭ（ランダム  アクセス  メモリ）、ＣＤ−ＲＯＭ、磁気テープ、ハードディスク、フロッピー（登録商標）ディスク、フラッシュメモリー、光データ保存装置があり、またキャリアウェーブ（例えば、インターネットを通じた伝送）の形態で具現されるものも含む。また、コンピュータで読み取り可能な記録媒体は、ネットワークに連結されたコンピュータシステムに分散され、分散方式でコンピュータ可読情報として保存され、かつ実行される。
【産業上の利用可能性】
【００４５】
本発明は、画像獲得装置でワイド色領域信号を生成するとき、計算過程を簡素化し、色相歪曲を最小限に減らせるワイド色領域信号の生成方法及び装置に係り、一般的に、カムコーダ及びデジタルカメラに適用しうる。
【図面の簡単な説明】
【００４６】
【図１】標準ＲＧＢマトリックスを通過した標準ＲＧＢ信号の特性を示す図である。
【図２】本発明による画像獲得装置でワイド色領域信号生成装置のブロック図である。
【図３Ａ】Ｒｅｃ.ＩＴＵ−Ｒ  ＢＴ.１３６１規格によるガンマ曲線である。
【図３Ｂ】ｘｖＹＣＣ規格によるガンマ曲線である。
【図４】図３の補正ゲイン生成部及び信号補正部の一実施例である。
【図５Ａ】信号ゲイン生成部でゲインを得るためのゲイン特性度の一実施例である。
【図５Ｂ】信号ゲイン生成部でゲインを得るためのゲイン特性度の一実施例である。
【図５Ｃ】信号ゲイン生成部でゲインを得るためのゲイン特性度の一実施例である。
【図６】本発明による画像獲得装置のワイド色領域信号の生成方法を示すフローチャートである。
【符号の説明】
【００４７】
２１０  撮像部
２２０  ガンマ補正部
２３０  補間部
２４０  色領域変換部
２５０  色領域拡張部
２６０  信号補正部
２７０  補正ゲイン生成部
【図１】
2008263608.tif 000006
【図２】
2008263608.tif 000007
【図３Ａ】
2008263608.tif 000008
【図３Ｂ】
2008263608.tif 000009
【図４】
2008263608.tif 000010
【図５Ａ】
2008263608.tif 000011
【図５Ｂ】
2008263608.tif 000012
【図５Ｃ】
2008263608.tif 000013
【図６】
2008263608.tif 000014